(57)【要約】本発明は、靴、特にスポーツ靴のための緩衝エレメント（１）であって、当該緩衝エレメント（１）が、少なくとも１つの第１のエレメント（２）を有しており、該第１のエレメント（２）が、当該緩衝エレメント（１）の負荷されていない状態で、ほぼ負荷方向（Ｒ）に、予め規定された高さ（Ｈ）にわたって延びていて、中空体として形成されて、受容室（３）を規定しており、該受容室（３）内に、横断面で見て第１のエレメント（２）よりも小さい寸法の所属の第２のエレメント（４）が、少なくとも部分的に侵入し得るようになっており、第２のエレメント（４）が、当該緩衝エレメント（１）の負荷されていない状態で、ほぼ負荷方向（Ｒ）に、予め規定された高さ（ｈ）にわたって延びていて、第１のエレメント（２）に対して同軸的に配置されている形式のものに関する。靴の緩衝挙動を改善するために、本発明によれば、第２のエレメント（４）も、中空体として形成されており、互いに対応配置された両エレメント（２，４）が、弾性的な結合区分（５）を介して互いに結合されており、該結合区分（５）が、第１のエレメント（２）と第２のエレメント（４）との間だけに延びていることが考えられている。
2005532845.tif 000002
【特許請求の範囲】
【請求項１】
靴、特にスポーツ靴のための緩衝エレメント（１）であって、当該緩衝エレメント（１）が、少なくとも１つの第１のエレメント（２）を有しており、該第１のエレメント（２）が、当該緩衝エレメント（１）の負荷されていない状態で、ほぼ負荷方向（Ｒ）に、予め規定された高さ（Ｈ）にわたって延びていて、中空体として形成されて、受容室（３）を規定しており、該受容室（３）内に、横断面で見て第１のエレメント（２）よりも小さい寸法の所属の第２のエレメント（４）が、少なくとも部分的に侵入することができるようになっており、第２のエレメント（４）が、当該緩衝エレメント（１）の負荷されていない状態で、ほぼ負荷方向（Ｒ）に、予め規定された高さ（ｈ）にわたって延びていて、第１のエレメント（２）に対して同軸的に配置されている形式のものにおいて、
第２のエレメント（４）も、中空体として形成されており、互いに対応配置された両エレメント（２，４）が、弾性的な結合区分（５）を介して互いに結合されており、該結合区分（５）が、第１のエレメント（２）と第２のエレメント（４）との間だけに延びていることを特徴とする、靴のための緩衝エレメント。
【請求項２】
第１のエレメント（２）と第２のエレメント（４）とが、負荷方向（Ｒ）に対して垂直な１つの断面で見て、互いに対応する形状を有している、請求項１記載の緩衝エレメント。
【請求項３】
第１のエレメント（２）および第２のエレメント（４）が、負荷方向（Ｒ）に対して垂直な１つの断面で見て、多角形、特に６角形の形状を有している、請求項２記載の緩衝エレメント。
【請求項４】
第１のエレメント（２）および第２のエレメント（４）が、負荷方向（Ｒ）に対して垂直な１つの断面で見て、円形の形状を有している、請求項２記載の緩衝エレメント。
【請求項５】
結合区分（５）が、当該緩衝エレメント（１）の負荷されていない状態で、負荷方向（Ｒ）に対して垂直な１つの平面において平坦に延びている、請求項１から４までのいずれか１項記載の緩衝エレメント。
【請求項６】
結合区分（５）が、当該緩衝エレメント（１）の負荷されていない状態で、負荷方向（Ｒ）に対して垂直な１つの平面において湾曲して延びている、請求項１から４までのいずれか１項記載の緩衝エレメント。
【請求項７】
第１のエレメント（２）と結合区分（５）と第２のエレメント（４）とが、一体的に形成されている、請求項１から６までのいずれか１項記載の緩衝エレメント。
【請求項８】
第１のエレメント（２）および第２のエレメント（４）が、射出成形プロセスによって製作されている、請求項１から７までのいずれか１項記載の緩衝エレメント。
【請求項９】
第１のエレメント（２）、結合区分（５）および第２のエレメント（４）が、共通の射出成形プロセスによって製作されている、請求項７または８記載の緩衝エレメント。
【請求項１０】
第１のエレメント（２）の、第２のエレメント（４）とは逆の側の端部（６）が、シールシート（７）に結合されている、請求項１から９までのいずれか１項記載の緩衝エレメント。
【請求項１１】
第２のエレメント（４）の、第１のエレメント（２）とは逆の側の端部（８）が、シールシート（９）に結合されている、請求項１から１０までのいずれか１項記載の緩衝エレメント。
【請求項１２】
前記エレメント（２，４）と前記シールシート（７，９）とが、互いにガス密に結合、特に溶接されている、請求項１０または１１記載の緩衝エレメント。
【請求項１３】
第１のエレメント（２）と第２のエレメント（４）と結合区分（５）と両シールシート（７，９）とが、ガス密に閉鎖されたフレキシブルな室を形成している、請求項１０から１２までのいずれか１項記載の緩衝エレメント。
【請求項１４】
両エレメント（２，４）が、プラスチック、特に熱可塑性の材料から成っている、請求項１から１３までのいずれか１項記載の緩衝エレメント。
【請求項１５】
プラスチックとして、ポリエチレン、ポリプロピレン、ポリブタン、ポリアミド、ポリウレタン、またはこれらのプラスチックのうちの少なくとも２つのプラスチックの混合物が考えられている、請求項１４記載の緩衝エレメント。
【請求項１６】
プラスチックが、半透明または透明である、請求項１４または１５記載の緩衝エレメント。
【請求項１７】
多数の第１および／または第２のエレメント（２，４）が、互いに結合されている、請求項１から１６までのいずれか１項記載の緩衝エレメント。
【請求項１８】
前記第１のエレメント（２）がその側方の領域で互いに結合されている、請求項１７記載の緩衝エレメント。
【請求項１９】
多数の第１および第２のエレメント（２，４）が、互いに並べて配置されている、請求項１から１６までのいずれか１項記載の緩衝エレメント。
【請求項２０】
隣接する少なくとも２つの第１もしくは第２のエレメントエレメント（２，４）の結合区分（５）が、共通の部分として形成されている、請求項１９記載の緩衝エレメント。
【請求項２１】
互いに並べて配置された多数の第１および第２のエレメント（２，４）が、結合区分（５）を介して互いに結合されている、請求項２０記載の緩衝エレメント。
【請求項２２】
前記第１および第２のエレメント（２，４）が、互いに間隔を置いてかつ平行に配置されている、請求項１９から２１までのいずれか１項記載の緩衝エレメント。
【請求項２３】
第１および／または第２のエレメント（２，４）が少なくとも部分的に、当該緩衝エレメント（１）の負荷されていない状態で、異なる高さ（Ｈ，ｈ）を有している、請求項１７から２２までのいずれか１項記載の緩衝エレメント。
【請求項２４】
第１のエレメント（２）、第２のエレメント（４）および結合区分（５）の材料と、これらの部分の幾何学的な寸法とが、当該緩衝エレメント（１）の緩衝特性を確定するために選択されている、請求項１から２３までのいずれか１項記載の緩衝エレメント。
【発明の詳細な説明】
【技術分野】
【０００１】
本発明は、請求項１の上位概念部に記載した形式の、靴、特にスポーツ靴のための緩衝エレメントに関する。
【０００２】
ヨーロッパ特許第０３８７５０５号明細書に基づいて、既に良好な緩衝挙動を有している靴ソールを備えている靴が公知である。ここでは、靴ソールの押圧負荷軽減後の靴ソールの緩衝挙動と復元力とを最適化するために、靴が、弾性的な圧縮可能な材料製のハニカムボディから成っている少なくとも１つの挿入部材を備えた靴ソールを備えていることが考えられており、この場合、ガス充填されたハニカムセルの中央軸線は、ソール平面に対してほぼ垂直に延びている。ハニカムボディは、その寸法に関して最終的な成形体として形成されており、この場合、ハニカムセルはハニカムボディの周囲もしくは縁部においてガス密に閉鎖されている。
【０００３】
ハニカムボディの形状のこのような緩衝エレメントによって、靴に良好な緩衝挙動を付与すること、および靴ソールの復元力とひいては靴ソールの押圧負荷軽減後のエネルギ回復とを著しく高めることが、既に可能である。しかしながら、これらのパラメータのさらなる増大が望ましい。
【０００４】
さらに、ドイツ連邦共和国特許出願公開第３３３８５５６号明細書に基づいて、上位概念部に記載した形式の、スポーツ靴のための緩衝エレメントが公知である。このスポーツ靴のアウトソールは、複数の緩衝ディスクを備えており、これらの緩衝ディスクはそれぞれ、交換可能な緩衝ディスクが挿入されることができるシリンダと各シリンダに配属されたピストンとから成っており、このピストンは各シリンダ内に係合し、かつ緩衝ディスクを押圧するようになっている。
【０００５】
したがって本発明の課題は、冒頭に述べた形式の緩衝エレメントを改良して、靴の緩衝挙動がさらに改善されるようなものを提供することである。特に、靴ソールの押圧負荷軽減後の靴ソールの復元力が高められるようにし、これにより、靴の押圧負荷軽減に際してのエネルギ回復がさらに増大されることができるようにしたい。
【０００６】
本発明による前記課題の解決手段は、請求項１の特徴部に記載した構成によって規定されている。
【０００７】
つまり、本発明による緩衝エレメントは、入れ子式緩衝器の形式で構成されている。第１のエレメントはシリンダ状の受容室として機能し、この受容室内に第２のエレメントがピストンの形式で侵入することができる。これにより、大きいばね行程が達成されることができ、靴のばね特性および緩衝特性が所望の要件に適合されることができる。さらに、当該緩衝エレメントの圧縮に際して費やされたエネルギをかなりの程度回復する可能性も生じる。
【０００８】
本発明の第１の実施態様によれば、第１のエレメントと第２のエレメントとが、負荷方向に対して垂直な１つの断面で見て、互いに対応する形状を有していることが考えられている。これは、第１のエレメントと第２のエレメントとの横断面幾何学的形状が互いに一致するように形成されているという意味である。これにより、第１のエレメント内に第２のエレメントのための適当な受容兼侵入室が形成される。
【０００９】
有利には、第１のエレメントおよび第２のエレメントは、負荷方向に対して垂直な１つの断面で見て、多角形、特に６角形の形状を有している。この事例では、当該緩衝エレメントはハニカムパターンの形式で形成されている。しかしながら、他の幾何学的形状も可能である。すなわち例えば、第１のエレメントおよび第２のエレメントは、負荷方向に対して垂直な１つの断面で見て、円形の形状を有していてよい。
【００１０】
この場合、負荷方向に対して垂直な断面で見た第１のエレメントの寸法は、有利には、第２のエレメントの対応する寸法よりも大きい。これにより、第１のエレメントによって規定されている室内に第２のエレメントが侵入し得ることが、有利に可能となる。
【００１１】
有利には、当該緩衝エレメントの負荷されていない状態で、第１のエレメントはその軸方向延在長さで、実質的に第２のエレメントの軸方向延在長さの外側に位置する。これは、ピストン状の第２のエレメントが、当該緩衝エレメントの負荷されていない状態で、シリンダ状の第１のエレメントの軸方向外側に配置されているという意味である。当該緩衝エレメントが負荷方向で負荷されて初めて、「ピストン」は「シリンダ」内に侵入する。
【００１２】
さらに、第１のエレメントと第２のエレメントとが中空体として形成されており、これらの中空体が結合区分を介して互いに結合されていることが考えられる。この結合区分は、当該緩衝エレメントの負荷されていない状態で、負荷方向に対して垂直な１つの平面において平坦に延びている。しかしながら、結合区分が、当該緩衝エレメントの負荷されていない状態で、湾曲して延びていることも同じく考えられる。後者の構成によって、負荷に際して「ピストン」が「シリンダ」内に侵入することが助成される。このことは、本発明のさらなる実施態様に従って考えられているように結合区分が弾性的な材料から成っている場合にも当てはまる。
【００１３】
第１のエレメントと結合区分と第２のエレメントとが一体的に形成されている場合、機能上および製作技術上の利点が達成されることができる。この場合、第１のエレメントおよび第２のエレメントが射出成形プロセスによって製作されていることが特に考えられる。第１のエレメント、結合区分および第２のエレメントが、共通の射出成形プロセスによって製作されていると有利である。
【００１４】
本発明による緩衝エレメントの、高い緩衝特性およびエネルギ回復特性を達成するために、両エレメントがガス密な室を形成していることが考えられる。このために、第１のエレメントの、第２のエレメントとは逆の側の端部が、シールシートに結合されていることが考えられる。同じく、第２のエレメントの、第１のエレメントとは逆の側の端部は、シールシートに結合されていてよい。この場合、各エレメントとシールシートとはガス密に互いに結合、特に溶接されていてよい。このような構成によって、第１のエレメントと第２のエレメントと結合区分とシールシートとが、ガス密に閉鎖されたフレキシブルな室を形成することが達成されることができる。このことは、本発明による緩衝エレメントの作用形式に、特別に有利な形式で影響を与える。
【００１５】
両エレメントはプラスチック、特に熱可塑性の材料から成っていてよい。プラスチックとしては、ポリエチレン、ポリプロピレン、ポリブタン、ポリアミド、ポリウレタン、またはこれらのプラスチックのうちの少なくとも２つのプラスチックの混合物が適当であることが実証された。さらに、前記プラスチックは半透明または透明であってよい。
【００１６】
靴、特にスポーツ靴の所望の領域をカバーする十分に大きい緩衝エレメントを形成するために、多数の第１および／または第２のエレメントは、互いに結合されていてよいかもしくは互いに並べて配置されていてよい。
【００１７】
この場合、１実施態様によれば、前記第１のエレメントはその側方の領域で互いに結合されている。このような構成は、ハニカムパターンによる幾何学的形状の場合に、特別に容易に実現されることができる。
【００１８】
多数の第１および第２のエレメントが互いに並べて配置されている事例では、隣接する少なくとも２つの第１もしくは第２のエレメントエレメントの結合区分が、共通の部分として形成されていることが考えられる。この場合、互いに並べて配置された多数の第１および第２のエレメントが、結合区分を介して互いに結合されていることも可能である。さらなる実施態様では、前記第１および第２のエレメントが、互いに間隔を置いてかつ平行に配置されていることが考えられる。
【００１９】
当該緩衝エレメントを幾何学的形状および機能に関して具体的な要求に適合させることは、さらに、第１および／または第２のエレメントが少なくとも部分的に、当該緩衝エレメントの負荷されていない状態で、異なる高さを有していることが考えられることによって容易になる。
【００２０】
緩衝特性と、当該緩衝エレメントの、エネルギを吸収しかつ戻す能力とは、幾何学的形状と材料特性とを決定するパラメータの選択によって影響されることができる。つまり有利には、第１のエレメント、第２のエレメントおよび結合区分の材料と、これらの部分の幾何学的な寸法とが、当該緩衝エレメントの剛さを確定するために選択されることが考えられている。
【００２１】
本発明による提案によって、靴ソールの緩衝および復元力とひいては靴ソールの押圧負荷軽減後のエネルギ回復とを高い程度に増大させる緩衝エレメントが提供される。提案される実施態様によって、さらに、本発明による緩衝エレメントが製作技術上有利にひいては安価に製作され得ることが達成される。
【００２２】
以下に、本発明の実施例を図面につき説明する。
【００２３】
図１には、緩衝エレメント１を断面図で示してある。この緩衝エレメント１は靴（図示せず）、特にスポーツ靴のソールに組み込まれている。緩衝エレメント１は負荷方向Ｒにおけるソールの負荷に際してエネルギを吸収するために働き、かつソールの負荷軽減に際して、緩衝エレメント１内に蓄えられたエネルギを再び放出するために働く。
【００２４】
図２と一緒に概観すればわかるように、緩衝エレメント１は第１のエレメント２および第２のエレメント４を有している。これらのエレメント２，４はハニカムパターンの形式で６角形に形成されている。第１のエレメント２は受容室３を有している。この受容室３は６角形のボディの容積から形成される。負荷方向Ｒにおける第１のエレメント２の延在長さは、符号Ｈ（緩衝エレメント１の負荷されていない状態における第１のエレメント２高さ）で示してある。第１のエレメント２の軸方向上方には、−緩衝エレメント１の負荷されていない状態で−第２のエレメント４が配置されている。この第２のエレメント４は軸方向の高さｈにわたって負荷方向Ｒに延びている。この場合、特に図２からわかるように、寸法−第１のエレメント２の幅Ｂおよび第２のエレメント４の幅ｂ−は、負荷方向Ｒにおける緩衝エレメント１の負荷に際して第２のエレメント４が、第１のエレメント２によって規定されている受容室３内に侵入することができるように選択されている。この結果、第１のエレメント２および第２のエレメント４は入れ子式緩衝器の形式で作業する。この場合、第１のエレメント２は「シリンダ」として機能し、この「シリンダ」内に第２のエレメント４が「ピストン」の形式で侵入することができる。
【００２５】
このことが緩衝エレメント１の押圧負荷軽減に際して復元作用の達成下で行われ得るようにするために、図１に示してある第１のエレメント２の上方の軸方向の端部領域と第２のエレメント４の軸方向の下方の端部領域とは、結合区分５を介して互いに結合されている。この結合区分５は−そしてまた第１および第２のエレメント２，４の場合も−弾性的なプラスチック材料から成る部分である。これにより、負荷力が緩衝エレメント１に負荷方向Ｒで課される際に、図３に概略的に示してあるような変形が行われる。第２のエレメント４はピストン状に、第１のエレメントの受容室３内に侵入する。
【００２６】
緩衝エレメント１の押圧負荷軽減後に、図１に略図で示してあるような初期状態が再び達成されるようにするためには、結合区分５が弾性的に構成されているだけでなく、さらに以下の措置が講じられる。すなわち、第１のエレメント２の、第２のエレメント４とは逆側の端部６は、第１のシールシート７に結合、特に溶接されている。同じ形式で、第２のエレメント４の、第１のエレメント２とは逆側の端部８は、第２のシールシート９を備えている。このシールシート９も、第２のエレメント４に結合、有利には溶接されている。これにより、第１のエレメント２と第２のエレメント４と結合区分５と両シールシート７，９とは、ガス密に閉鎖された室を形成している。この室は最適なばね特性および緩衝特性を有している。
【００２７】
図１〜図３に示してあるような構成部分２，４，５，７，９から成っている個々の「ピストン・シリンダエレメント」は、−図４および図４から窺えるように−比較的大きい面状の延在長さを備えた緩衝エレメント１を形成するために、互いに並べて配置されることができる。このためにエレメント２，４は、特別に有利には、６角形もしくはハニカムパターンの形式で形成されている。
【００２８】
「シリンダ」として機能する下方のハニカムエレメント２が図５によれば互いに結合されているのに対して、上方の「ピストン」４は自由に並んで位置し、シールシート９によってしか互いに結合されない。「シリンダ」２と「ピストン」４との間の結合は、結合区分５を介して行われる。この結合区分５は−図５に示してあるように−湾曲して形成されている。これにより、負荷力が負荷方向Ｒで導入される際に「ピストン」４が「シリンダ」２内に侵入することが助成される。
【００２９】
図４に示した全緩衝エレメント１は、−適宜に裁断され−靴内にかつこの靴内で特にミッドソール内に格納されていてよい。
【００３０】
緩衝エレメント１の負荷に際して、「ピストン」４は「シリンダ」２内に押し込まれる。なぜならば、ほぼ水平に位置する結合区分５は、第１もしくは第２のエレメント２，４のほぼ垂直に立っているセル壁ほどに剛性的ではないからである。
【００３１】
力の増大とともに、第２のエレメント４は第１のエレメント２の軸方向の領域内に次第に押し込まれる。
【００３２】
したがって、「ピストン」４が「シリンダ」２内に完全に押し込まれるまで、緩衝エレメント１の負荷に相応に対抗作用する力が維持される。
【００３３】
緩衝エレメント１の押圧負荷軽減に際して、図１もしくは図５に略図で示してあるような元の幾何学的形状が復元される。
【００３４】
シールシート７，９の配置について、さらに以下のことに言及しておきたい。すなわち、図１〜図５による実施例では、面状のシールシート７；９は、互いに並べて配置された所定の数の「ピストン・シリンダエレメント」にわたって延びており、すなわち、シート７，９は、所定の数のこのようなエレメントを覆っている。しかしながら−これとは択一的に−、それぞれ第１のエレメント２の１つの端部６だけおよび／または第２のエレメント４の１つの端部９だけをガス密に閉鎖する個別的なシート区分しか使用されないことも考えられる。この場合、前記シート区分は、エレメント２，４の端部領域を閉鎖している「カバー」を形成している。この「カバー」はエレメント２の端部６もしくはエレメント４の端部８に溶接されていてよい。しかしながら、前記「カバー」が例えばエレメント２；４の射出成形に際して一緒に射出成形される、すなわち、所定の場所に同時に一体成形されることも可能である。この場合、有利には、（図１に示してあるように）第１のエレメント２の端部６が大面積のシート７で閉鎖されるのに対して、第２のエレメント４の端部８が「カバー」としての個別的なシート区分９によってしか閉鎖されないことが考えられている。
【００３５】
図６ａ、図６ｂ、図６ｃおよび図７には、緩衝エレメントの択一的な構成を示してある。ここでは、多数の第１および第２のエレメント２，４が互いに並べて配置されていることが考えられている。この場合、これらの第１および第２のエレメント２，４は、互いに間隔を置いてかつ平行に位置決めされている（シート７；９（図１参照）なしで示してある）。
【００３６】
それぞれ１つの第１のエレメント２と１つの第２のエレメント４とから成っている個々のユニットの結合は、結合区分５を介して行われる。この結合区分５は、第１および第２のエレメント２，４も互いに結合している。つまり、結合区分５は第１のエレメント２と第２のエレメント４との間の結合部を−軸方向で−形成しているだけでなく、前記図面に示してある構造体になるように個々の部分エレメントの結合部も形成している。
【００３７】
この場合、とりわけ図６ｃから、さらに図７からも窺えるように、第１もしくは第２のエレメント２；４が少なくとも部分的に、緩衝エレメントの、図示の負荷されていない状態で、異なる高さＨ；ｈ（図１参照）を有していることが考えられている。
【００３８】
個々のエレメント２，４の幾何学的形状とここでは特に前記高さならびに幅との適合によって、結合区分５の厚さと構成との適合によって、かつさらに、これらの部分を構成している材料の対応する選択によって、緩衝エレメント１のばね特性および緩衝特性が、任意に適合もしくは選択されることができる。
【００３９】
したがって、緩衝エレメント１のばね特性および緩衝特性−特にばね行程にわたってのばね力−は、ほぼ所望の経過に従って選択されることができる。
【００４０】
このことによって、第１のエレメントと第２のエレメントと結合区分とから成っている個々の部分・緩衝エレメントが果たさなければならない各機能が、影響されることができる、すなわち、むしろ支持作用が必要とされるかまたは緩衝作用が必要とされるかによって影響されることができる。
【００４１】
本発明による緩衝エレメント１は、公知先行技術において公知であるような従来の緩衝エレメントと一緒に、靴、特にスポーツ靴内で組み合わせて使用することもできる。これにより、靴、特にスポーツ靴のばね挙動および緩衝挙動をその都度の要求に最適に適合させることができる別の可能な構成が得られる。
【図面の簡単な説明】
【００４２】
【図１】緩衝エレメントの断面を示す概略的な側面図である。
【図２】図１による緩衝エレメントの概略的な平面図である。
【図３】緩衝エレメントが変形された状態を、図１に対応する図示で示す図である。
【図４】所定の数の個別エレメントから成っている緩衝エレメントの平面図である。
【図５】図４によるＡ−Ｂ線に沿った断面図である。
【図６ａ】所定の数の個別エレメントから成っている緩衝エレメントの正面図である。
【図６ｂ】図６ａに所属する平面図である。
【図６ｃ】図６ｂに所属する側面図である。
【図７】図６ａもしくは図６ｂもしくは図６ｃによる緩衝エレメントの斜視図である。
【符号の説明】
【００４３】
１  緩衝エレメント、  ２  第１のエレメント、  ３  受容室、  ４  第２のエレメント、  ５  結合区分、  ６  第１のエレメントの端部、  ７  シールシート、  ８  第２のエレメントの端部、  ９  シールシート、  Ｒ  負荷方向、  Ｈ  第１のエレメントの高さ、  ｈ  第２のエレメントの高さ、  Ｂ  第１のエレメントの寸法、  ｂ  第２のエレメントの寸法
【図１】
2005532845.tif 000003
【図２】
2005532845.tif 000004
【図３】
2005532845.tif 000005
【図４】
2005532845.tif 000006
【図５】
2005532845.tif 000007
2005532845.tif 000008
【図７】
2005532845.tif 000009
【手続補正書】
【提出日】平成15年11月18日(2003.11.18)
【手続補正１】
【補正対象書類名】特許請求の範囲
【補正対象項目名】全文
【補正方法】変更
【補正の内容】
【特許請求の範囲】
【請求項１】
靴、特にスポーツ靴のための緩衝エレメント（１）であって、当該緩衝エレメント（１）が、少なくとも１つの第１のエレメント（２）を有しており、該第１のエレメント（２）が、当該緩衝エレメント（１）の負荷されていない状態で、ほぼ負荷方向（Ｒ）に、予め規定された高さ（Ｈ）にわたって延びていて、中空体として形成されて、受容室（３）を規定しており、該受容室（３）内に、横断面で見て第１のエレメント（２）よりも小さい寸法の所属の第２のエレメント（４）が、少なくとも部分的に侵入することができるようになっており、第２のエレメント（４）が、当該緩衝エレメント（１）の負荷されていない状態で、ほぼ負荷方向（Ｒ）に、予め規定された高さ（ｈ）にわたって延びていて、第１のエレメント（２）に対して同軸的に配置されている形式のものにおいて、
第２のエレメント（４）も、中空体として形成されており、互いに対応配置された両エレメント（２，４）が、弾性的な結合区分（５）を介して互いに結合されており、該結合区分（５）が、第１のエレメント（２）と第２のエレメント（４）との間だけに延びており、両エレメント（２，４）がガス密な室を形成していることを特徴とする、靴のための緩衝エレメント。
【請求項２】
第１のエレメント（２）と第２のエレメント（４）とが、負荷方向（Ｒ）に対して垂直な１つの断面で見て、互いに対応する形状を有している、請求項１記載の緩衝エレメント。
【請求項３】
第１のエレメント（２）および第２のエレメント（４）が、負荷方向（Ｒ）に対して垂直な１つの断面で見て、多角形、特に６角形の形状を有している、請求項２記載の緩衝エレメント。
【請求項４】
第１のエレメント（２）および第２のエレメント（４）が、負荷方向（Ｒ）に対して垂直な１つの断面で見て、円形の形状を有している、請求項２記載の緩衝エレメント。
【請求項５】
結合区分（５）が、当該緩衝エレメント（１）の負荷されていない状態で、負荷方向（Ｒ）に対して垂直な１つの平面において平坦に延びている、請求項１から４までのいずれか１項記載の緩衝エレメント。
【請求項６】
結合区分（５）が、当該緩衝エレメント（１）の負荷されていない状態で、負荷方向（Ｒ）に対して垂直な１つの平面において湾曲して延びている、請求項１から４までのいずれか１項記載の緩衝エレメント。
【請求項７】
第１のエレメント（２）と結合区分（５）と第２のエレメント（４）とが、一体的に形成されている、請求項１から６までのいずれか１項記載の緩衝エレメント。
【請求項８】
第１のエレメント（２）および第２のエレメント（４）が、射出成形プロセスによって製作されている、請求項１から７までのいずれか１項記載の緩衝エレメント。
【請求項９】
第１のエレメント（２）、結合区分（５）および第２のエレメント（４）が、共通の射出成形プロセスによって製作されている、請求項７または８記載の緩衝エレメント。
【請求項１０】
第１のエレメント（２）の、第２のエレメント（４）とは逆の側の端部（６）が、シールシート（７）に結合されている、請求項１から９までのいずれか１項記載の緩衝エレメント。
【請求項１１】
第２のエレメント（４）の、第１のエレメント（２）とは逆の側の端部（８）が、シールシート（９）に結合されている、請求項１から１０までのいずれか１項記載の緩衝エレメント。
【請求項１２】
前記エレメント（２，４）と前記シールシート（７，９）とが、互いにガス密に結合、特に溶接されている、請求項１０または１１記載の緩衝エレメント。
【請求項１３】
第１のエレメント（２）と第２のエレメント（４）と結合区分（５）と両シールシート（７，９）とが、ガス密に閉鎖されたフレキシブルな室を形成している、請求項１０から１２までのいずれか１項記載の緩衝エレメント。
【請求項１４】
両エレメント（２，４）が、プラスチック、特に熱可塑性の材料から成っている、請求項１から１３までのいずれか１項記載の緩衝エレメント。
【請求項１５】
プラスチックとして、ポリエチレン、ポリプロピレン、ポリブタン、ポリアミド、ポリウレタン、またはこれらのプラスチックのうちの少なくとも２つのプラスチックの混合物が考えられている、請求項１４記載の緩衝エレメント。
【請求項１６】
プラスチックが、半透明または透明である、請求項１４または１５記載の緩衝エレメント。
【請求項１７】
多数の第１および／または第２のエレメント（２，４）が、互いに結合されている、請求項１から１６までのいずれか１項記載の緩衝エレメント。
【請求項１８】
前記第１のエレメント（２）がその側方の領域で互いに結合されている、請求項１７記載の緩衝エレメント。
【請求項１９】
多数の第１および第２のエレメント（２，４）が、互いに並べて配置されている、請求項１から１６までのいずれか１項記載の緩衝エレメント。
【請求項２０】
隣接する少なくとも２つの第１もしくは第２のエレメントエレメント（２，４）の結合区分（５）が、共通の部分として形成されている、請求項１９記載の緩衝エレメント。
【請求項２１】
互いに並べて配置された多数の第１および第２のエレメント（２，４）が、結合区分（５）を介して互いに結合されている、請求項２０記載の緩衝エレメント。
【請求項２２】
前記第１および第２のエレメント（２，４）が、互いに間隔を置いてかつ平行に配置されている、請求項１９から２１までのいずれか１項記載の緩衝エレメント。
【請求項２３】
第１および／または第２のエレメント（２，４）が少なくとも部分的に、当該緩衝エレメント（１）の負荷されていない状態で、異なる高さ（Ｈ，ｈ）を有している、請求項１７から２２までのいずれか１項記載の緩衝エレメント。
【請求項２４】
第１のエレメント（２）、第２のエレメント（４）および結合区分（５）の材料と、これらの部分の幾何学的な寸法とが、当該緩衝エレメント（１）の緩衝特性を確定するために選択されている、請求項１から２３までのいずれか１項記載の緩衝エレメント。
【国際調査報告】
2005532845.tif 000010
2005532845.tif 000011
2005532845.tif 000012
2005532845.tif 000013
2005532845.tif 000014
2005532845.tif 000015